(57)【要約】【課題】使い勝手の良いウェブ収納品を提供する。【解決手段】ロール状に巻回され、使用に際して中心側から引き出されるウェブが収納容器１内に収納されたウェブ収納品１００であって、収納容器１には、上端に開口部１１が形成され、ウェブのロールの軸方向が略垂直となるように当該ウェブを収納する容器本体１０と、開口部１１を閉塞する外蓋部２１を有し、当該外蓋部２１に、切目に沿って開かれることにより容器本体１０内に収納されたウェブを取り出すための取出口２１ａを形成する取出口用片部２１ｂが設けられている蓋体２０と、外蓋部２１よりも内側に配設され、ウェブのロールの外径よりも小さい径に形成された当該ウェブの通過口３２を有するとともにウェブのロールの上端部に当接する二つの当接片部３１、３１を備えるウェブ当接部３０とが備えられている。【選択図】図２
2006232303.tif 000002
【特許請求の範囲】
【請求項１】
ロール状に巻回され、使用に際して中心側から引き出されるウェブが収納容器内に収納されたウェブ収納品であって、
前記収納容器は、
一端に開口部が形成され、前記開口部が前記ウェブのロールの軸方向側に位置するように当該ウェブを収納する容器本体と、
前記開口部を閉塞する外蓋部を有し、当該外蓋部に、切目に沿って開かれることにより前記容器本体内に収納された前記ウェブを取り出すための取出口を形成する取出口用片部が設けられている蓋体と、
前記外蓋部よりも内側に配設され、前記容器本体内に収納された前記ウェブの前記ロールの外径よりも小さい径に形成された当該ウェブの通過口を有するとともに前記ウェブの前記軸方向側の端部に当接するウェブ当接部と、を備えることを特徴とするウェブ収納品。
【請求項２】
前記容器本体は、底面部と当該底面部の端部から起立して設けられた複数の周面部とにより前記ウェブを収納する収納空間を構成し、
前記外蓋部は、前記複数の周面部のうちの何れか一の周面部の前記開口部側となる上端部から延出されていることを特徴とする請求項１に記載のウェブ収納品。
【請求項３】
前記ウェブ当接部は、前記容器本体の前記外蓋部が延出された前記一の周面部と異なる少なくとも二つの周面部の上端部から前記開口部の中心側に延出された少なくとも二つの当接片部を有し、
前記少なくとも二つの当接片部は、その先端部から基端部側に切り欠かれた切欠部を有し、当該少なくとも二つの切欠部により前記通過口が形成されてなることを特徴とする請求項２に記載のウェブ収納品。
【請求項４】
前記ウェブ当接部は、その前記外蓋部の先端部側となる外蓋先端側端部から突出するように形成された凸部を備え、
前記蓋体は、前記外蓋部の先端部から延出され、前記ウェブ当接部の前記外蓋先端側端部と前記容器本体の前記外蓋部が延出された前記一の周面部に対向配置された周面部の上端部との間に差し込まれる差込片部を備え、
前記差込片部には、前記凸部が嵌合される嵌合孔部が形成されていることを特徴とする請求項２又は３に記載のウェブ収納品。
【請求項５】
前記差込片部の先端部の前記凸部の上側に当接する部分は、その先端部から当該差込片部の基端部側に切り欠かれていることを特徴とする請求項４に記載のウェブ収納品。
【請求項６】
前記容器本体の周面部には、切目に沿って切り取られ折り返されることで把手を形成する把手部が設けられていることを特徴とする請求項１〜５の何れか一項に記載のウェブ収納品。
【請求項７】
前記周面部は、一枚の板状体を折り曲げて形成され、
前記把手部は、前記板状体の一端部から延出されてなることを特徴とする請求項６に記載のウェブ収納品。
【発明の詳細な説明】
【技術分野】
【０００１】
本発明は、ロール状に巻回されたウェブが収納容器内に収納されたウェブ収納品に関する。
【背景技術】
【０００２】
従来より、トイレットペーパーやキッチンペーパー等のロール状に巻回されたウェブが収納容器内に収納されたウェブ収納品が知られている。
このウェブ収納品として、一枚の紙製や合成樹脂製の薄板を裁断して組み立ててなる容器内に、ロール状に巻回されたウェブをその軸方向が略水平となるように収納し、当該容器の上側に長手方向が略水平となるように設けられた取出口からウェブを適宜必要な長さ引き出し、歯を下側に向けて蓋体に配設された切歯にて切断して使用するように構成されたものがある（例えば、特許文献１参照。）。
【特許文献１】特開平８−２３０８７１号公報
【発明の開示】
【発明が解決しようとする課題】
【０００３】
しかしながら、上記特許文献１等の場合、ウェブが引き出される際にウェブが取出口側に引き寄せられてしまい、容器の内面とウェブとの接触面積が大きくなって当該ウェブの取り出しをスムーズに行うことができないといった問題もある。
また、蓋体によるウェブの先端部の保持が解除されて容器内に戻ってしまう虞があり、この場合には、ウェブを取り出すために蓋体を開け閉めする必要がある。一方、ウェブの先端部の保持が解除されずに容器内に戻ってしまうといったことがない場合であっても、切断後に容器内に残る方のウェブはその先端部が容器と蓋体の間に挟まれた状態となるために、ウェブの次の引き出しを簡便に行うことができないこととなる。
このように、従来のウェブ収納品は、使い勝手が悪く実用に供し難いといった問題がある。
【０００４】
そこで、本発明の課題は、使い勝手の良いウェブ収納品を提供することである。
【課題を解決するための手段】
【０００５】
請求項１に記載の発明は、例えば、図１〜図５等に示すように、
ロール状に巻回され、使用に際して中心側から引き出されるウェブ（Ｗ）が収納容器（１）内に収納されたウェブ収納品（１００）であって、
前記収納容器は、
一端に開口部（１１）が形成され、前記開口部が前記ウェブのロールの軸方向側に位置するように当該ウェブを収納する容器本体（１０）と、
前記開口部を閉塞する外蓋部（２１）を有し、当該外蓋部に、切目（Ｌ２）に沿って開かれることにより前記容器本体内に収納された前記ウェブを取り出すための取出口（２１ａ）を形成する取出口用片部（２１ｂ）が設けられている蓋体（２０）と、
前記外蓋部よりも内側に配設され、前記容器本体内に収納された前記ウェブの前記ロールの外径よりも小さい径に形成された当該ウェブの通過口（３２）を有するとともに前記ウェブの前記軸方向側の端部に当接するウェブ当接部（３０）と、を備えることを特徴としている。
【０００６】
請求項２に記載の発明は、例えば、図３等に示すように、請求項１に記載のウェブ収納品において、
前記容器本体は、底面部（１２）と当該底面部の端部から起立して設けられた複数の周面部（１３ａ〜１３ｄ）とにより前記ウェブを収納する収納空間を構成し、
前記外蓋部は、前記複数の周面部のうちの何れか一の周面部（１３ａ）の前記開口部側となる上端部から延出されていることを特徴としている。
【０００７】
請求項３に記載の発明は、例えば、図２等に示すように、請求項２に記載のウェブ収納品において、
前記ウェブ当接部は、前記容器本体の前記外蓋部が延出された前記一の周面部と異なる少なくとも二つの周面部（１３ｂ、１３ｄ）の上端部から前記開口部の中心側に延出された少なくとも二つの当接片部（３１）を有し、
前記少なくとも二つの当接片部は、その先端部から基端部側に切り欠かれた切欠部（３１ａ）を有し、当該少なくとも二つの切欠部により前記通過口が形成されてなることを特徴としている。
【０００８】
請求項４に記載の発明は、例えば、図２等に示すように、請求項２又は３に記載のウェブ収納品において、
前記ウェブ当接部は、その前記外蓋部の先端部側となる外蓋先端側端部から突出するように形成された凸部（３３）を備え、
前記蓋体は、前記外蓋部の先端部から延出され、前記ウェブ当接部の前記外蓋先端側端部と前記容器本体の前記外蓋部が延出された前記一の周面部に対向配置された周面部（１３ｃ）の上端部との間に差し込まれる差込片部（２２）を備え、
前記差込片部には、前記凸部が嵌合される嵌合孔部（２２ａ）が形成されていることを特徴としている。
【０００９】
請求項５に記載の発明は、例えば、図５等に示すように、請求項４に記載のウェブ収納品において、
前記差込片部の先端部の前記凸部の上側に当接する部分は、その先端部から当該差込片部の基端部側に切り欠かれていることを特徴としている。
【００１０】
請求項６に記載の発明は、例えば、図３等に示すように、請求項１〜５の何れか一項に記載のウェブ収納品において、
前記容器本体の周面部（１３）には、切目（例えば、ミシン目Ｌ１）に沿って切り取られ折り返されることで把手（１５ａ）を形成する把手部（１５）が設けられていることを特徴としている。
【００１１】
請求項７に記載の発明は、例えば、図３等に示すように、請求項６に記載のウェブ収納品において、
前記周面部は、一枚の板状体を折り曲げて形成され、
前記把手部は、前記板状体の一端部から延出されてなることを特徴としている。
【発明の効果】
【００１２】
請求項１に記載の発明によれば、ウェブが収納された収納容器は、容器本体と、この容器本体の開口部を閉塞する外蓋部を有し、当該外蓋部に、容器本体内に収納されたウェブを取り出すための取出口を形成する取出口用片部が設けられている蓋体と、外蓋部よりも内側に配設され、容器本体内に収納されたウェブのロールの外径よりも小さい径に形成された当該ウェブの通過口を有するとともにウェブのロールの軸方向側の端部に当接するウェブ当接部とが備えられている。これにより、ウェブが収納容器から引き出される際に、例えば、ウェブが勢いよく引き出されることにより当該ウェブのロール全体が上方に移動しても、その軸方向側の端部はウェブ当接部に当接することとなって、ウェブの移動を規制することができ、また、このとき、ウェブは外蓋部の切目に沿って開かれることにより形成される取出口を介して引き出されることとなるので、ウェブと収納容器の内面との接触面積を小さくすることができ、当該ウェブの引き出しをスムーズに行うことができる。
また、引き出されたウェブは、取出口を構成する取出口用片部の縁部分により係止されることとなるので、当該ウェブが収納容器内に戻ってしまうといったことがなくなる。さらに、ウェブは取出口用片部に係止された状態となっているので、次にウェブを使用する際にはその先端部をつまんで当該ウェブを簡便に引き出すことができる。
このように、ウェブ収納品の使い勝手をより向上させることができる。
【００１３】
請求項２に記載の発明によれば、請求項１に記載の発明と同様の効果が得られるのは無論のこと、特に、収納空間を構成する容器本体の複数の周面部のうちの何れか一の周面部の開口部側となる上端部から外蓋部が延出されているので、外蓋部と周面部とを一体として外蓋部を周面部とともに簡便に形成することができる。
【００１４】
請求項３に記載の発明によれば、請求項２に記載の発明と同様の効果が得られるのは無論のこと、特に、ウェブ当接部は、少なくとも二つの周面部の上端部から前記開口部の中心側に延出された少なくとも二つの当接片部を有し、これら少なくとも二つの当接片部は、その先端部から基端部側に切り欠かれた切欠部を有し、当該少なくとも二つの切欠部によりウェブの通過口が形成されているので、少なくとも二つの当接片部によって、ウェブのロールの軸方向側の端部に対しての当接及び当該通過口のウェブの通過を適正に行うことができる。
【００１５】
請求項４に記載の発明によれば、請求項２又は３に記載の発明と同様の効果が得られるのは無論のこと、特に、外蓋部の先端部から延出された差込片部が、ウェブ当接部の外蓋部の先端部側となる外蓋先端側端部と容器本体の外蓋部が延出された一の周面部に対向配置された周面部の上端部との間に差し込まれることにより、差込片部に形成された嵌合孔部にウェブ当接部の外蓋先端側端部から突出するように形成された凸部が嵌合されることとなって、蓋体が開かないように容器本体に確実に取り付けることができる。
【００１６】
請求項５に記載の発明によれば、請求項４に記載の発明と同様の効果が得られるのは無論のこと、特に、差込片部の先端部の凸部の上側に当接する部分は、その先端部から当該差込片部の基端部側に切り欠かれているので、差込片部の先端部側にて凸部の上側を傷付けないように当該差込片部を差し込むことができる。
【００１７】
請求項６に記載の発明によれば、請求項１〜５に記載の発明と同様の効果が得られるのは無論のこと、特に、容器本体の周面部には、切目に沿って切り取られ折り返されることで把手を形成する把手部が設けられているので、当該ウェブ収納品の使用に際して、把手が折り返された状態とされることにより、把手を掴んでウェブ収納品からウェブの引き出しを簡便に行うことができ、一方、ウェブ収納品を使用しない場合には、把手が畳んだ状態とされることにより、当該把手が邪魔になるといったことがなくなる。
【００１８】
請求項７に記載の発明によれば、請求項６に記載の発明と同様の効果が得られるのは無論のこと、特に、周面部は、一枚の板状体を折り曲げて形成され、当該板状体の一端部から把手部は延出されているので、把手部と周面部とを一体として把手部を周面部とともに簡便に形成することができる。
【発明を実施するための最良の形態】
【００１９】
以下に、本発明について、図面を用いて具体的な態様を説明する。ただし、発明の範囲は、図示例に限定されない。
ここで、図１は、本発明を適用した一実施形態として例示するウェブ収納品を示す斜視図である。
図１に示すように、本実施形態のウェブ収納品１００は、ロール状に巻回されたウェブＷが収納容器１内に収納されたものであり（図４参照）、使用の際に、収納容器１の上部の取出口２１ａからウェブＷが引き出されるようになっている。
【００２０】
ウェブＷは、使用に際して中心側から引き出されるように巻回されたものであり、例えば、長手方向に並ぶように所定間隔を空けてミシン目（図示略）が複数形成されている。これにより、ウェブＷを所定量ずつ引き出して使用することができるようになっている。
ここで、ウェブＷは、ロール状に巻回されたものならば如何なるものであっても良く、例えば、トイレットペーパー、キッチンペーパー等の紙製のものや、食品包装用の薄いフィルム類のビニール製のもの等を適用可能である。
なお、ウェブＷは、ロール状に巻回された状態でその軸方向が略垂直となるように収納容器１内に収納されるようになっている（詳細後述）。
【００２１】
収納容器１は、外形が略直方体状に形成されてなり、その周面部１３に把手１５ａが設けられている。
ここで、図２〜図５を参照して収納容器１について詳細に説明する。
なお、図２は、収納容器１の蓋体２０を開いた状態を示す斜視図であり、図３は、収納容器１を示す展開図である。また、図４は、蓋体２０を開いた状態を示す平面図である。また、図５は、蓋体２０の閉動作を説明するための図である。
【００２２】
収納容器１は、例えば段ボール紙等からなる一枚の板状体を折り曲げて形成されてなり（図３参照）、図２に示すように、上端（一端）に開口部１１が形成され、内側にウェブＷを収納する収納空間を有する容器本体１０と、容器本体１０の開口部１１を閉塞するとともにウェブＷの取出口２１ａが形成された外蓋部２１を有する蓋体２０と、蓋体２０よりも内側に配設され、互いの先端部どうしが付き合わされるように設けられた二つの当接片部３１を有するウェブ当接部３０とを備えて構成されている。
【００２３】
容器本体１０は、略正方形状をなす底面部１２と、当該底面部１２の端部から略垂直に起立して設けられた略同形状をなす４つの周面部１３（１３ａ〜１３ｄ）とを備え、これら底面部１２及び周面部１３により収納空間が構成されている。そして、当該容器本体１０内に、ウェブＷのロールの軸方向が略垂直となるように、即ち、開口部１１がウェブＷのロールの軸方向側に位置するように当該ウェブＷが配設されている（図４参照）。
【００２４】
底面部１２は、各周面部１３の開口部１１側と反対側となる下端部から延出され、互いに組み合わされることにより当該底面部１２を構成する４つの底面片部１２ａ、…を備えている（図３参照）。これら底面片部１２ａ、…のうちの隣り合う二つは、所定の接着剤等により接着されてなり、これによって、当該収納容器１の組み立てに際して底面部１２の形成を容易に行うことができるようになっている。
なお、底面部１２の構造は、本実施形態に例示したものに限られるものではなく、適宜変更することができる。
【００２５】
４つの周面部１３、…は、例えば、長辺どうしが略平行となるように連接されている（図３参照）。
これら周面部１３、…のうち、連接方向の一端側に配設され、外蓋部２１が連接された周面部１３ａ（図３における左端の周面部）には、当該収納容器１が組み立てられた状態で連接方向の他端側に配設される周面部１３ｄ（図３における右端の周面部）の内面に接着されるのりしろ部１４が設けられている。
また、これら周面部１３のうち、連接方向の他端側に配設される周面部１３には、その長辺から延出されて、把手１５ａを形成する把手部１５が設けられている。
【００２６】
把手部１５は、ミシン目（切目）Ｌ１に沿って切り取られて折り返されることで形成される把手１５ａと、把手１５ａの外側に配設され、当該収納容器１が組み立てられた状態で連接方向の一端側に配設される周面部１３ａの外面に接着される接着面部１５ｂとを備えている。
従って、当該ウェブ収納品１００の使用に際して、把手１５ａが折り返された状態とされることにより、把手１５ａを掴んでウェブ収納品１００からウェブＷの引き出しを簡便に行うことができ、一方、ウェブ収納品１００を使用しない場合には、把手１５ａが接着面部１５ｂと略面一となるように畳んだ状態とされることにより、把手１５ａが邪魔になるといったことがなくなる。
【００２７】
また、容器本体１０が組み立てられた状態で外蓋部２１が延出された周面部１３ａに隣り合って配置される二つの周面部１３ｂ、１３ｄ（外蓋部が延出された一の周面部と異なる二つの周面部）の上端部からは、当該容器本体１０の開口部１１の中心側に向けて当接片部３１、３１が延出されている。
当接片部３１は、略同形状の部材であり、その略中央部分の先端側には、当該先端部から基端部側にかけて略コ字状に切り欠かれることにより形成された切欠部３１ａが設けられている。そして、これら二つの切欠部３１ａ、３１ａにより当該ウェブ収納品１００から引き出されるウェブＷの通過口３２が形成されている。
通過口３２は、容器本体１０の収納空間内にロールの軸方向が略垂直となるように収納されたウェブＷの外径よりも小さい径を有するように形成されている。これによって、二つの当接片部３１、３１の切欠部３１ａ、３１ａからなる通過口３２を介してウェブＷが引き出されることとなり、また、例えば勢い良くウェブＷを引き出した場合等に、当該ウェブＷのロール全体が上方に移動してもその上端部が当接片部３１の下面に当接することとなって、ウェブＷの移動を規制することができるようになる。
なお、切欠部３１ａの角部はＲ（アール）がつけられており、これにより、通過口３２を通過するウェブＷの表面を傷付けにくくなっている。
【００２８】
また、当接片部３１には、その先端側であって、容器本体１０の開口部１１を覆うように折り返された状態で当該当接片部３１の外蓋部２１と反対側となる端部、即ち、外蓋部２１の先端部側となる外蓋先端側端部（図４における下端）から外蓋部２１と反対側に突出するようにして凸部３３が形成されている。
凸部３３は、容器本体１０が組み立てられた状態で外蓋部２１が延出された周面部１３ａに対向配置された周面部１３ｃの外面側に至る程度の長さを有している。なお、周面部１３ｃの上端部は、容器本体１０の開口部１１を覆うように当接片部３１、３１が折り返された状態で凸部３３が周面部１３ｃの上端部にぶつからないように、凸部３３の形状に対応させて上端部から下側に切り欠かれている（図２等参照）。
【００２９】
また、当接片部３１の基端部は、容器本体１０の開口部１１を覆うように当該当接片部３１が折り返された状態で、外蓋先端側端部と周面部１３ｃの内面との間の隙間がほぼなくなるようになっている。また、当接片部３１の基端部と凸部３３との間の部分は、蓋体２０の差込片部２２（後述）を差し込み易いように当該差込片部２２の厚さと略等しいかわずかに大きくなるように外蓋先端側端部から外蓋部２１側に切り欠かれている（図４参照）。
【００３０】
蓋体２０は、略正方形状をなす外蓋部２１と、この外蓋部２１の先端部から延出され、当接片部３１の外蓋先端側端部と容器本体１０の外蓋部２１が延出された周面部１３ａに対向配置する周面部１３ｃの上端部との間に差し込まれる差込片部２２とを備えている。
【００３１】
外蓋部２１は、例えば、その略中央部にウェブ当接部３０の通過口３２と略上下に重なるようにして取出口２１ａが設けられている。具体的には、外蓋部２１の略中央部には、例えばＨ型に切目Ｌ２が形成されており、当該切目Ｌ２に沿って開かれることにより容器本体１０内に収納されたウェブＷを取り出すための取出口２１ａを形成する二つの取出口用片部２１ｂ、２１ｂが設けられている。
取出口用片部２１ｂは、例えば下側に押し込まれることにより、取出口２１ａが形成されるようになっている。
【００３２】
差込片部２２は、外蓋部２１に対して略垂直となるように折り返された状態で当接片部３１の外蓋先端側端部と周面部１３の上端部との間に差し込まれるようになっており、当該差込片部２２の付け根部分の略中央部に、二つの当接片部３１、３１の凸部３３、３３が嵌合される嵌合孔部２２ａが形成されている。嵌合孔部２２ａは、水平に並んで配置される二つの凸部３３、３３よりもわずかに大きい形状を有するように形成されている。
また、差込片部２２の先端部のうち、当該差込片部２２が差し込まれる際に凸部３３の上側に当接する部分は、その先端部から基端部側に略Ｖ字状に切り欠かれている。
【００３３】
従って、図５に示すように、差込片部２２が当接片部３１の外蓋先端側端部と周面部１３ｃの上端部との間に差し込まれる際に、当該差込片部２２の先端部は、その略Ｖ字状に切り欠かれた部分にて凸部３３、３３を適正に下方に押し込み、且つ、当該略Ｖ字状の部分よりも端部側の部分が外蓋先端側端部の切り欠かれた部分に差し込まれるようになっている。これにより、差込片部２２の先端部側にて凸部３３の上側を傷付けないように当該差込片部２２の差し込みを行うことができる。
また、差込片部２２をさらに下方に差し込んでいくことにより、当該差込片部２２の端部側の部分が当接片部３１の外蓋先端側端部と周面部１３の上端部とにより挟持された状態となり、さらに、差込片部２２が最下端まで差し込まれることにより、当該差込片部２２の嵌合孔部２２ａに二つの当接片部３１、３１の凸部３３、３３が挿通されて嵌合された状態となる。このようにして、蓋体２０が開かないように容器本体１０に確実に取り付けられることとなる。
【００３４】
以上のように、本実施形態のウェブ収納品１００によれば、ウェブＷが収納容器１から引き出される際に、例えば、ウェブＷが勢いよく引き出されることにより当該ウェブＷのロール全体が上方に移動しても、その上端部はウェブ当接部３０を構成する二つの当接片部３１の下面に当接することとなって、ウェブＷの上方向に対する移動を規制することができ、また、このとき、ウェブＷは、二つの切欠部３１ａ、３１ａにより構成されるウェブＷの通過口３２を通過して、外蓋部２１の切目Ｌ２に沿って開かれることにより形成される取出口２１ａを介して引き出されることとなるので、ウェブＷと収納容器１の内面との接触面積を小さくすることができ、当該ウェブＷの引き出しをスムーズに行うことができる。
また、引き出されたウェブＷは、取出口２１ａを構成する取出口用片部２１ｂ、２１ｂの縁部分により係止されることとなるので、当該ウェブＷが収納容器１内に戻ってしまうといったことがなくなる。さらに、ウェブＷは取出口用片部２１ｂに係止された状態となっているので、次にウェブＷを使用する際にその先端部をつまんで当該ウェブＷを簡便に引き出すことができる。
このように、ウェブ収納品１００の使い勝手をより向上させることができる。
【００３５】
また、容器本体１０を構成する４つの周面部１３ａ〜１３ｄは、一枚の板状体を折り曲げて形成されてなり、一の周面部１３ａの上端部から外蓋部２１が延出されているので、外蓋部２１と周面部１３ａとを一体として外蓋部２１を周面部１３ａとともに簡便に形成することができる。さらに、周面部１３ｄの長辺から把手部１５は延出されているので、把手部１５と周面部１３ａ〜１３ｄとを一体として把手部１５を周面部１３ａ〜１３ｄとともに簡便に形成することができる。
従って、周面部１３ａ〜１３ｄ、外蓋部２１及び把手部１５を備える収納容器１を一枚の板状体を折り曲げて簡便に形成することができる。
【００３６】
なお、本発明は、上記実施形態に限定されることなく、本発明の趣旨を逸脱しない範囲において、種々の改良並びに設計の変更を行っても良い。
例えば、上記実施形態では、収納容器１に把手部１５を設けるようにしたが、必ずしも把手部１５を配設する必要はなく、把手部１５を配設するか否かは適宜変更可能となっている。
【００３７】
また、上記実施形態では、収納容器１を略直方体状となるように形成したが、これに限られるものではなく、例えば、収納容器１を平面視にて略五角形や六角形といった頂点を５つ以上有する多角形状としても良い。なお、ここで、本実施形態では、二つの周面部１３ｂ、１３ｄの上端部に連続するようにして、ウェブ当接部３０を構成する二つの当接片部３１、３１を配設するようにしたが、例えば、収納容器１を頂点を５つ以上有する多角形状とする場合には、外蓋部２１が延出される周面部１３以外の少なくとも二つの周面部１３から当接片部３１を延出するように構成することができる。
【００３８】
さらに、取出口２１ａや通過口３２の形状や大きさ等は、上記実施形態に例示したものに限られるものではなく、適宜変更可能となっている。
【図面の簡単な説明】
【００３９】
【図１】本発明を適用した一実施形態として例示するウェブ収納品を示す斜視図である。
【図２】図１のウェブ収納品を構成する収納容器の蓋体を開いた状態を示す斜視図である。
【図３】図２の収納容器を示す展開図である。
【図４】図１のウェブ収納品の蓋体を開いた状態を示す平面図である。
【図５】図２の収納容器の蓋体の閉動作を説明するための図である。
【符号の説明】
【００４０】
１００  ウェブ収納品
１      収納容器
１１    開口部
１０    容器本体
１２    底面部
１３    周面部
１５    把手部
１５ａ  把手
２０    蓋体
２１    外蓋部
２１ａ  取出口
２１ｂ  取出口用片部
２２    差込片部
２２ａ  嵌合孔部
３０    ウェブ当接部
３１    当接片部
３１ａ  切欠部
３２    通過口
３３    凸部
Ｌ１    ミシン目（切目）
Ｌ２    切目
Ｗ      ウェブ
【図１】
2006232303.tif 000003
【図２】
2006232303.tif 000004
【図３】
2006232303.tif 000005
【図４】
2006232303.tif 000006
【図５】
2006232303.tif 000007